(57)【特許請求の範囲】
【請求項１】
音声データを格納する複数のフォルダを有する音声記録再生装置において、
上記フォルダ毎に、当該音声記録再生装置の設定可能な少なくとも録音に関する項目に対して、使用者の操作により値を指定する指定手段と、
上記設定可能な項目に上記指定手段で指定した値を上記フォルダ毎に関連付けて保存する設定手段と、
上記複数のフォルダの中から所望のフォルダをカレントフォルダとして選択するフォルダ選択手段と、
入力した音声を、現在選択されているカレントフォルダに関連付けられて保存された上記録音に関する項目に指定された値を用いて録音し、得られた音声データを、当該カレントフォルダに格納する録音手段と、
を具備することを特徴とする音声記録再生装置。
【請求項２】
上記指定手段は、第１のフォルダに上記項目の値を指定する際、上記第１のフォルダ以外の第２のフォルダに設定された項目の値と同一の値を当該第１のフォルダの項目に設定するように、上記第２のフォルダを指定することを特徴とする請求項１に記載の音声記録再生装置。
【請求項３】
上記設定可能な項目は、少なくとも録音音質、入力音声レベルによる自動録音の可否、マイク感度、および時刻情報の一つを含むことを特徴とする請求項１叉は請求項２のいずれか１つに記載の音声記録再生装置。
【発明の詳細な説明】
【０００１】
【発明の属する技術分野】
本発明は、音声メッセージを格納するための複数のフォルダを有する音声記録再生装置に関する。
【０００２】
【従来の技術】
特開平１１−０５２９９８号公報は、メニュー釦を操作することにより操作音のＯＮ／ＯＦＦ、マイク感度変更等の設定を行うことが出来る音声記録再生装置を開示している。
【０００３】
【発明が解決しようとする課題】
音声記録再生装置は様々な場面で用いられるため、各種の設定、例えば録音音質、マイク感度、操作音のＯＮ／ＯＦＦ等を頻繁に変更することもある。上記した特開平１１−０５２９９８号公報ではそのつどメニューボタンによって変更したい項目を選択し、ジョグダイアルにより内容を変更するように構成されているので、特に変更項目が多くなってくると操作も煩雑になりかつ時間もかかってしまうという問題があった。
【０００４】
本発明はこのような課題に着目してなされたものであり、その目的とするところは、各種の設定をフォルダごとに行えるようにして、短時間でかつ簡単に録音に関する設定を変更できる音声記録再生装置を提供することにある。
【０００５】
【課題を解決するための手段】
上記の目的を達成するために、第１の発明は、音声データを格納する複数のフォルダを有する音声記録再生装置において、上記フォルダ毎に、当該音声記録再生装置の設定可能な少なくとも録音に関する項目に対して、使用者の操作により値を指定する指定手段と、上記設定可能な項目に上記指定手段で指定した値を上記フォルダ毎に関連付けて保存する設定手段と、上記複数のフォルダの中から所望のフォルダをカレントフォルダとして選択するフォルダ選択手段と、入力した音声を、現在選択されているカレントフォルダに関連付けられて保存された上記録音に関する項目に指定された値を用いて録音し、得られた音声データを、当該カレントフォルダに格納する録音手段と、を具備する。
【０００６】
また、第２の発明は、第１の発明に係る音声記録再生装置において、上記指定手段は、第１のフォルダに上記項目の値を指定する際、上記第１のフォルダ以外の第２のフォルダに設定された項目の値と同一の値を当該第１のフォルダの項目に設定するように、上記第２のフォルダを指定する。
【０００７】
また、第３の発明は、第１又は第２の発明に係る音声記録再生装置において、上記設定可能な項目は、少なくとも録音音質、入力音声レベルによる自動録音の可否、マイク感度、告知音の有無、および時刻情報の一つを含む。
【０００９】
【発明の実施の形態】
以下、図面を参照して本発明の実施形態を詳細に説明する。
【００１０】
図１は、本実施形態のＩＣレコーダのシステム構成を示す図である。本ＩＣレコーダは、マイク５０と、増幅器５１と、ローパスフィルタ（ＬＰＦ）５２と、Ａ／Ｄ変換器５３とから構成される録音用信号入力部と、Ｄ／Ａ変換器５４と、ローパスフィルタ（ＬＰＦ）５５と、増幅器５６と、スピーカ５７とから構成される再生用信号出力部とを備えている。
【００１１】
上記Ａ／Ｄ変換器５３及び上記Ｄ／Ａ変換器５４は、主として音声信号や情報の圧縮／伸長を行うデジタル信号処理部（ＤＳＰ）５８を介してレコーダ全体の制御を行うシステム制御部（ＣＰＵ）６０に接続されている。デジタル信号処理部５８は上記圧縮／伸長を実現するために、入力された音声信号を音声データに符号化する符号化手段と、音声データを復号化して音声信号に変換する復号化手段としての機能を有している。
【００１２】
システム制御部６０には、録音釦（ＲＥＣ）、再生釦（ＰＬＡＹ）、早送り釦（ＦＦ）釦、早戻し（ＲＥＶ）釦、メニュー（ＭＥＮＵ）釦、フォルダ釦、消去釦などの各種の操作スイッチ類６３が接続されるとともに、本体内蔵のフラッシュメモリ等の書き換え可能な不揮発性メモリで構成される記録媒体（メモリ）６１やデータを一時的に記録するためのＲＡＭ６２が接続されている。なお、記録媒体（メモリ）６１は着脱自在なものであってもよい。
【００１３】
さらにシステム制御部６０には、駆動回路５９を介して時刻データや動作状態等の表示を行う液晶表示部（ＬＣＤ）としての表示器６４が接続されている。
【００１４】
上記した構成において、外部から録音、再生、消去等の操作入力が行われると、システム制御部６０はそれを検出して各部を対応する状態に移行させる。例えば録音操作が行われた場合には、マイク５０から入力された音声信号は増幅器５１によって増幅され、続いてローパスフィルタ５２によって不要な高周波成分が除去された後、Ａ／Ｄ変換器５３によってデジタル音声信号に変換されて録音用信号入力部から出力される。
【００１５】
デジタル信号処理部５８は、Ａ／Ｄ変換器５３から入力されるデジタル音声信号のデータ量を圧縮してシステム制御部６０にデータを出力する。デジタル信号処理部５８によって圧縮符号化されたデジタルデータはシステム制御部６０の制御により記録媒体（メモリ）６１の所定のアドレスに書き込まれる。また、システム制御部６０は、書き込まれたデジタルデータがどのアドレスに書き込まれたかを示すアドレス管理情報も合わせて記録媒体（メモリ）６１内の所定のアドレスへ書き込む制御を行う。
【００１６】
一方、再生操作が行われた場合には、システム制御部６０は記録媒体（メモリ）６１の指定アドレスから再生対象のアドレス情報を読み出すとともに、当該アドレス情報に対応する再生対象のデジタルデータを読み出してデジタル信号処理部５８に出力する。デジタル信号処理部５８はこのデジタルデータを伸長して元のデータに戻してから、Ｄ／Ａ変換器５４へ出力する。
【００１７】
図２は本実施形態に係るＩＣレコーダのメインフローを説明するための図である。電源投入後、ステップＳ１において、ＲＡＭ６２のクリアやポートの入出力の設定、通信系の初期設定などの処理を含む初期設定を行った後、ユーザからの操作入力待ち状態となる（ステップＳ２）。ステップＳ３において所定時間操作がなかったかどうかを監視し、所定時間の間操作入力がなかった場合にはステップＳ４において省電力モードに移行する。そして、操作釦が操作されるまではこの省電力モードを維持し、操作釦が操作された場合には該省電力モードを終了し、次のステップ５において通常モードに復帰する。
【００１８】
通常モードにおいて操作釦が操作された場合にはステップＳ２の判断がＹＥＳとなって押された釦に応じた処理を行う。例えばＲＥＣ釦が押された場合にはステップＳ６の判断がＹＥＳとなってステップＳ７に進んで録音（ＲＥＣ）動作を実行する。ＰＬＡＹ釦が押された場合にはステップＳ８の判断がＹＥＳとなってステップＳ９に進んで再生（ＰＬＡＹ）動作を実行する。
【００１９】
ＦＦ釦が押された場合にはステップＳ１０の判断がＹＥＳとなってステップＳ１１に進んで早送り（ＦＦ）動作を実行する。ＲＥＶ釦が押された場合にはステップＳ１２の判断がＹＥＳとなってステップＳ１３に進んで早戻し（ＲＥＶ）動作を実行する。ＭＥＮＵ釦が押された場合にはステップＳ１４の判断がＹＥＳとなってステップＳ１５に進んでメニュー（ＭＥＮＵ）処理を行う。フォルダ釦が押された場合にはステップＳ１６の判断がＹＥＳとなってステップＳ１７に進んで、本実施形態で作成可能な３つのフォルダＡ、Ｂ、Ｃを切り換えるフォルダ切換処理を行う。また、消去（ＥＲＡＳＥ）釦が押された場合にはステップＳ１８の判断がＹＥＳとなってステップＳ１９に進んで消去（ＥＲＡＳＥ）動作を実行する。
【００２０】
図３は図２のステップＳ１５のＭＥＮＵ処理でのメニュー設定の詳細を説明するためのフローチャートである。ここではＭＥＮＵ釦が押される毎に、“録音（ＲＥＣ）モード”（ステップＳ２０）、“マイク感度”（ステップＳ２１）、“ＶＣＶＡ”（ステップＳ２２）、“ＢＥＥＰ音”（ステップＳ２３）、“フォルダ（ＦＯＬＤＥＲ）名”（ステップＳ２４）、“時刻設定”（ステップＳ２５）の各項目を設定可能な画面になる。
【００２１】
図９は、各フォルダＡ、Ｂ、Ｃごとに各設定項目についてどのようなパラメータを設定可能かを示すテーブルである。“表示名”は、図３のステップＳ２４（ＦＯＬＤＥＲ名）で設定されたフォルダの名前を表示するときの表示名であり、目的に応じて種々の名前を設定可能である。ここでの表示名は英数字で８文字まで設定可能である。“ＲＥＣモード”では高音質である反面、メモリ消費量が大きい標準時間モード（ＳＰ）と、低音質であるがメモリ消費量が小さい長時間モード（ＬＰ）の設定が可能である。ＶＣＶＡ（音声起動録音モード）は、所定レベル以上の音声入力があった場合にのみ録音動作を行うモードであり、ＯＮ／ＯＦＦの設定が可能である。“ＭＩＣ感度（マイク感度）”では、低感度であり主として口述（ディクテーション）録音に用いられるＤＩＣＴモードと、高感度であり主として会議録音（カンファレンス）録音に用いられるＣＯＮＦモードの設定が可能である。ＤＩＣＴモードとＣＯＮＦモードの切換は増幅器５１のゲインを切り換えることにより行われる。“ＢＥＥＰ音”は、ユーザが操作ボタンを押したときの操作音とユーザに対する警告音とを含む告知音であり、ＯＮ／ＯＦＦの設定が可能である。“時刻設定”では「時」、「分」、「年」、「月」、「日」の設定が可能である。
【００２２】
さらに、本実施の形態では上記の値の他に、“＊”という値を用いている。これはフォルダＡの設定に従う、という意味の値であり、“＊”を設定しておくとフォルダＡで設定された値と同じ値を使用する。なお、ここでは“＊”を用いたが、例えば“＃”や“−”等の別の記号、あるいは“＜ＦＯＬＤＥＲ  Ａ”のように文字列でフォルダＡの設定に従うということを表しても構わないことは言うまでもない。
【００２３】
図１０は項目設定の第１の具体例を示す図である。ここではフォルダＡ、Ｂ、Ｃを目的別に分けており、ＭＥＭＯは単なるボイスメモ用のフォルダ、ＤＩＣＴは後で音声認識させたい音声メッセージを記録するフォルダ、ＳＣＨＥＤＵＬＥはスケジュール管理用のフォルダであり、フォルダ毎に目的に応じた項目設定がなされている。
【００２４】
図１１は項目設定の第２の具体例を示す図であり、ここでは海外出張の多い人の例を示している。日本での用件はＪＡＰＡＮフォルダ、アメリカでの用件はＵＳフォルダを用い、いずれも仕事上の会議を考慮した設定になっている。また、個人的な用件を記録するためにＰＲＩＶＡＴＥフォルダを別に作成して仕事上のフォルダと区別している。
【００２５】
各設定項目について値を変更したい場合には、変更したい項目が表示された状態で早送り（ＦＦ）釦あるいは早戻し（ＲＥＶ）釦を用いて逐次変更する。ここでは表示が変更された時点で変更された値が保存されるものとする。
【００２６】
なお、メニューモード時に一定時間操作をしないかあるいは停止（ＳＴＯＰ）釦が押された場合にはメニューモードが解除される。
【００２７】
図４は図３のステップＳ２０のＲＥＣモードの設定の詳細を説明するためのフローチャートである。まず、現在のフォルダのＲＥＣモードを表示（ステップＳ３１）した後、特定の釦が操作されるまで待機し、操作された釦に対応する処理を行う。例えばステップＳ３１でＭＥＮＵ釦が押された場合にはメニュー設定モードに戻る。また、ＳＴＯＰ釦が押される（ステップＳ３２）かあるいは何らの操作もない状態で所定の時間（例えば３０秒）が経過することによりタイムアウト（ステップＳ３３）となった場合にはメニュー設定モードが解除されて通常モード（図２のステップＳ１６）に戻る。
【００２８】
また、ステップＳ３４で早送り（ＦＦ）釦が押されるかあるいはステップＳ３５で早戻し（ＲＥＶ）釦が押された場合には当該釦が押されるごとに値を変更して変更後の値を記録媒体６１に記憶する（ステップＳ３９）。例えば早送り（ＦＦ）釦が押された場合には、ステップＳ４０においてフォルダがＡであるかどうかを判断し、ＹＥＳの場合には現在ＳＰモードであればＬＰモードに、現在ＬＰモードであればＳＰモードに設定を切り換える。また、ステップＳ４０の判断がＮＯの場合、すなわち現在のフォルダがフォルダＢかフォルダＣの場合には、ステップＳ４２に進んでＳＰ→ＬＰ→＊（フォルダＡの設定に従うことを意味する）の順に現在のモードを切り換える。例えば現在ＳＰモードであればＬＰモードに、現在ＬＰモードであればフォルダＡの設定内容（＊）に、現在＊であればＳＰモードにＦＦ釦が押されるたびに切り換える。
【００２９】
また、早戻し（ＲＥＶ）釦が押された場合には、ステップＳ３６においてフォルダがＡであるかどうかを判断し、ＹＥＳの場合には現在ＳＰモードであればＬＰモードに、現在ＬＰモードであればＳＰモードに設定を切り換える。また、ＮＯの場合、すなわちフォルダＢかフォルダＣの場合には、ステップＳ３８に進んでＬＰ→ＳＰ→＊（フォルダＡの設定に従うことを意味する）の順に現在のモードを切り換える。例えば現在ＳＰモードであればフォルダＡの設定内容（＊）に、現在＊であればＬＰモードに、現在ＬＰモードあればＳＰモードにＲＥＶ釦を押すたびに切り換える。
【００３０】
なお、ＲＥＣモードの場合について述べたが、マイク感度、ＶＣＶＡ、ＢＥＥＰ音の設定についても同様の方法で行うことができる。
【００３１】
図５は図３のステップＳ２５の時刻設定の詳細を説明するためのフローチャートである。ＭＥＮＵ釦を押すごとに「時」（ステップＳ５０）、「分」（ステップＳ５１）、「年」（ステップＳ５２）、「月」（ステップＳ５３）、「日」（ステップＳ５４）の順に設定対象が変更される。各設定対象での変更はＦＦ釦とＲＥＶ釦とを操作して数値をインクリメントあるいはデクリメントすることにより行う。最後まで設定が終わったら設定を記憶して（ステップＳ５５）、計時をスタートさせる。
【００３２】
図６は図５のステップＳ５０の「時」設定の詳細を説明するためのフローチャートである。
【００３３】
まずステップＳ６０で現在のフォルダの時刻を表示する。現在のフォルダがＡであれば「時」を点滅表示する。また、現在のフォルダがＢまたはＣの場合には、フォルダＡとの相対時間（すなわち時差）の設定がなければ「＊」を点滅表示し、相対時間の設定があればそれを点滅表示する。
【００３４】
次に特定の釦が操作されるまで待機し、操作された釦に対応する処理を行う。例えばステップＳ６１でＭＥＮＵ釦が押された場合にはステップＳ６２で現在のフォルダがＡか否かを判断し、ＹＥＳの場合にはステップＳ６３で、［分」の設定を行い、ＮＯの場合にはフォルダＢ、Ｃではその後（分、年、月、日）の設定を行う必要がないので図５のステップＳ５５に移行する。
【００３５】
また、ステップＳ６４でＳＴＯＰ釦が押されるかあるいはステップＳ６５でタイムアウトになった場合にはＭＥＮＵモードを抜けて図２のステップＳ１６に移行する。
【００３６】
また、ステップＳ６６でＦＦ釦が押された場合にはステップＳ６７に進んでフォルダがＡかどうかを判断し、ＹＥＳの場合にはステップＳ６８において、０〜２３の数字を「時」として設定する。すなわちＦＦ釦が押されるたびに「時」が０→１→２→…→２３→０のごとくサイクリックに切り換え設定される。
【００３７】
また、ＮＯの場合にはステップＳ６９において、−２４〜＋２４の数字を「相対時間」として設定する。すなわちＦＦ釦が押されるたびに「相対時間」が１づつインクリメントして設定される。なお、０のときは「＊」が表示される。
【００３８】
また、ステップＳ７０でＲＥＶ釦が押された場合にはステップＳ７１に進んでフォルダがＡかどうかを判断し、ＹＥＳの場合にはステップＳ７２において、０〜２３の数字を「時」として設定する。すなわちＦＦ釦が押されるたびに「時」が０→２３→２２→…→２→０のごとくサイクリックに切り換え設定される。
【００３９】
また、ＮＯの場合にはステップＳ７３において、−２４〜＋２４の数字を「相対時間」として設定する。すなわちＦＦ釦が押されるたびに「相対時間」が１づつデクリメントして設定される。なお、０のときは「＊」が表示される。
【００４０】
図７は図５のステップＳ５１の「分」設定の詳細を説明するためのフローチャートである。
【００４１】
まずステップＳ７０で現在のフォルダ（ここではフォルダＡ）の時刻を表示する。ここでは［分」を点滅表示する。次に特定の釦が操作されるまで待機し、操作された釦に対応する処理を行う。例えばステップＳ７１でＭＥＮＵ釦が押された場合にはステップＳ７２に進んで「年」、「月」、「日」の設定を行う。「年」、「月」、「日」の設定については、上記した「時」、「分」の設定に準じて行うことができるのでここでの説明を省略する。
【００４２】
また、ステップＳ７３でＳＴＯＰ釦が押されるかあるいはステップＳ７４でタイムアウトになった場合にはＭＥＮＵモードを抜けて図２のステップＳ１６に移行する。
【００４３】
また、ステップＳ７５でＦＦ釦が押された場合にはステップＳ７６に進んで「分」のインクリメント設定を行う。すなわちＦＦ釦が押されるたびにインクリメントした数字を「分」として設定する。
【００４４】
また、ステップＳ７７でＲＥＶ釦が押された場合にはステップＳ７８に進んで「分」のデクリメント設定を行う。すなわちＲＥＶ釦が押されるたびにデクリメントした数字を「分」として設定する。
【００４５】
図８は図２のステップＳ１７のフォルダ切換処理の詳細を説明するためのフローチャートである。まず、ステップＳ８０で現在のフォルダが「Ａ」かどうかを判断し、ＹＥＳの場合にはステップＳ８２においてフォルダを「Ｂ」に変更してリターンする。また、ステップＳ８０の判断がＮＯの場合にはステップＳ８１に進んで現在のフォルダが「Ｂ」かどうかを判断し、ＹＥＳの場合にはステップＳ８３に進んでフォルダを「Ｃ」に変更し、ＮＯの場合にはステップＳ８４に進んでフォルダを「Ａ」に変更してリターンする。このようにしてフォルダの切り換えが行われる。
【００４６】
上記した実施形態によれば、音声メッセージを格納するフォルダごとに各種の設定ができるようにしたので、各種の設定を短時間でかつ簡単に変更することが可能になる。
【００４７】
なお、上記した具体的実施形態を要約すると以下のようになる。
【００４８】
１．本実施形態の音声記録再生装置は、音声メッセージを格納する複数のフォルダを有する音声記録再生装置であって、上記フォルダ毎に各種動作モードおよび／または時刻情報を設定する設定手段（ＭＥＮＵ釦を含む操作スイッチ類６３、システム制御部６０）を具備する。
【００４９】
２．また、本実施形態の音声記録再生装置は、音声メッセージを格納する複数のフォルダ（例えばフォルダＡ、Ｂ、Ｃ）を有する音声記録再生装置であって、第１のフォルダ（実施形態ではフォルダＡ）に対して各種動作モードおよび／または時刻情報を設定する第１設定手段（ＭＥＮＵ釦を含む操作スイッチ類６３、システム制御部６０）と、第２のフォルダ（例えばフォルダＢ）の各種動作モードおよび／または時刻情報を上記第１のフォルダ（フォルダＡ）と同様の値か、または上記第１のフォルダ（フォルダＡ）に優先した値に設定することが可能な第２設定手段（ＭＥＮＵ釦を含む操作スイッチ類６３、システム制御部６０）とを具備する。
【００５０】
３．また、本実施形態の音声記録再生装置は、音声メッセージを格納する複数のフォルダを有する音声記録再生装置であって、上記複数のフォルダの中から所望のフォルダをカレントフォルダに選択するフォルダ選択手段（フォルダ釦）と、上記フォルダ毎に各種動作モードおよび／または時刻情報を設定する設定手段（ＭＥＮＵ釦を含む操作スイッチ類６３、システム制御部６０）と、上記設定を記憶しておく記憶手段（記録媒体６１）と、上記フォルダ選択手段（フォルダ釦）によりカレントフォルダが選択された際、上記選択されたカレントフォルダに対応する各種動作モードおよび／または時刻情報の設定を上記記憶手段（記録媒体６１）より読み出し、各種動作モードおよび／または時刻情報の設定を変更する設定変更手段（システム制御部６０）とを具備する。
【００５１】
４．上記１．、２．、３．における各種動作モードとは、録音モード、音声起動録音モード、マイク感度または警告音の有無のうちの少なくとも一つである。
【００５２】
【発明の効果】
本発明によれば、各種の設定をフォルダごとに行えるようにしたので、短時間でかつ簡単に録音に関する設定を変更できる音声記録再生装置を提供することができる。
【図面の簡単な説明】
【図１】本発明の一実施形態に係るＩＣレコーダのシステム構成を示す図である。
【図２】本実施形態に係るＩＣレコーダのメインフローを説明するための図である。
【図３】図２のステップＳ１５のＭＥＮＵ処理でのメニュー設定の詳細を説明するためのフローチャートである。
【図４】図３のステップＳ２０のＲＥＣモードの設定の詳細を説明するためのフローチャートである。
【図５】図３のステップＳ２５の時刻設定の詳細を説明するためのフローチャートである。
【図６】図５のステップＳ５０の「時」設定の詳細を説明するためのフローチャートである。
【図７】図５のステップＳ５１の「分」設定の詳細を説明するためのフローチャートである。
【図８】図３のステップＳ１７のフォルダ切換処理の詳細を説明するためのフローチャートである。
【図９】各フォルダごとに各設定項目についてどのような値が設定可能かを示すテーブルである。
【図１０】項目設定の第１の具体例を示す図である。
【図１１】項目設定の第２の具体例を示す図である。
【符号の説明】
５０  マイク
５１  増幅器
５２  ローパスフィルタ（ＬＰＦ）
５３  Ａ／Ｄ変換器
５４  Ｄ／Ａ変換器
５５  ローパスフィルタ（ＬＰＦ）
５６  増幅器
５７  スピーカ
５８  デジタル信号処理部（ＤＳＰ）
５９  駆動回路
６０  システム制御部（ＣＰＵ）
６１  記録媒体（メモリ）
６２  ＲＡＭ
６３  操作スイッチ類
６４  表示器
【図１】
0004981204.tif 000002
【図２】
0004981204.tif 000003
【図３】
0004981204.tif 000004
【図４】
0004981204.tif 000005
【図５】
0004981204.tif 000006
【図６】
0004981204.tif 000007
【図７】
0004981204.tif 000008
【図８】
0004981204.tif 000009
【図９】
0004981204.tif 000010
【図１０】
0004981204.tif 000011
【図１１】
0004981204.tif 000012